(57)【要約】【課題】ＡＶ機器において、メンテナンス信号を出力するため専用端子を設けることなく、また、機器のキャビネットを開けることなくメンテナンス信号を出力できるようにする。【解決手段】信号出力回路７から出力されたメンテナンス信号を変調する周波数変換回路８と、ＴＶ放送受信装置１（ＡＶ機器）の筐体の外面に設けられた音声出力端子１４と、周波数変換回路８と音声出力端子１４とを接続するメンテナンス信号ライン１７を備え、音声出力端子１４からメンテナンス信号を出力する。これにより、メンテナンス信号を出力するため専用端子を設けることなく、また、受信装置１のキャビネットを開けることなくメンテナンス信号を出力できるようになる。【選択図】図４
2005197858.tif 000002
【特許請求の範囲】
【請求項１】
音声信号を処理する音声処理回路と、音声信号を機器の外部に出力するための機器筐体の外面に設けられた音声出力端子と、機器のメンテナンスに関する所定周波数のメンテナンス信号を出力するメンテナンス信号出力回路とを備えたＡＶ（Audio Visual）機器において、
前記メンテナンス信号出力回路から出力されたメンテナンス信号を略２０ＫＨｚ以上の周波数に変調する周波数変換回路と、
この周波数変換回路から出力されたメンテナンス信号を、前記音声処理回路から出力された音声信号に混合させて前記音声出力端子に入力するメンテナンス信号ラインとをさらに備え、
前記メンテナンス信号出力回路から出力されたメンテナンス信号を前記音声出力端子を介して出力可能として、メンテナンス信号を出力するための専用端子を省いたことを特徴とするメンテナンス信号出力機能を有するＡＶ機器。
【請求項２】
請求項１に記載のＡＶ機器の音声出力端子に接続され、該ＡＶ機器のメンテナンス信号の検出に用いられるメンテナンス信号検出装置であって、
該音声出力端子から出力された信号から略２０ＫＨｚ未満の周波数の信号をカットして、前記メンテナンス信号のみを通過させるハイパスフィルタと、
このハイパスフィルタを通過したメンテナンス信号を前記メンテナンス信号出力回路から出力される信号と同等の周波数に復調する復調回路とを備えたことを特徴とするメンテナンス信号検出装置。
【請求項３】
音声信号を処理する音声処理回路と、音声信号を機器の外部に出力するための機器筐体の外面に設けられた音声出力端子と、機器のメンテナンスに関する所定周波数のメンテナンス信号を出力するメンテナンス信号出力回路とを備えたＡＶ（Audio Visual）機器において、
前記メンテナンス信号出力回路から出力されたメンテナンス信号を前記音声出力端子に入力するメンテナンス信号ラインと、
ＡＶ機器の動作モードに応じて、前記音声処理回路又はメンテナンス信号出力回路の動作を選択的に切り替える制御手段とをさらに備え、
前記メンテナンス信号出力回路からメンテナンス信号が出力されているときは、前記音声処理回路の動作を止めて、該メンテナンス信号出力回路から出力されたメンテナンス信号のみを前記音声出力端子を介して出力可能として、メンテナンス信号を出力するための専用端子を省いたことを特徴とするメンテナンス信号出力機能を有するＡＶ機器。
【発明の詳細な説明】
【技術分野】
【０００１】
本発明は、メンテナンス信号を出力する機能を有するＡＶ機器、及びそれに用いられるメンテナンス信号検出装置に関するものである。
【背景技術】
【０００２】
従来からテレビジョン放送受信装置（以下、受信装置と記す）は、機器のメンテナンスに関するログ情報（メンテナンス信号）を機器外部に送出するための専用の出力端子を備えている。メンテナンス信号は、機器に不具合が発生したとき、その原因を特定するために用いられる。例えば、外国において機器が故障した場合においては、外国のサービス工場でその故障を再現して、そのときのログ情報のファイルを電子メールに添付して送信すれば、国内に居ながらにして略リアルタイムで、機器の故障原因を検討することができ、迅速に対応することができる。
【０００３】
このような従来の受信装置とそれに用いられるメンテナンス信号検出装置を図７に示す。受信装置１００は、モニタ装置に映像信号を出力するための映像出力端子１１３と、音声信号を出力するための音声出力端子１１４と、メンテナンス信号を出力するための出力端子１１５とを備えている。映像出力端子１１３及び音声出力端子１１４は、モニタ装置との接続が容易に行なえるように、受信装置１００の筐体背面に設けられている。また、出力端子１１５は、受信装置１００のメンテナンスのみに用いられ、通常は使用されないので、ユーザに混乱を与えないようにとの配慮から、受信装置１００の筐体の内部に設けられている。従って、メンテナンスを行うときは、ビス１１６を外してキャビネット１１７を開け、信号検出回路２５のケーブル２６を出力端子１１５に接続しなければならない。
【０００４】
また、光ディスク装置においては、試験用光ディスクに記録された情報を読み出して装置外部に出力するにあたって、別の目的のために装置に備えられている電気的端子を用いるように構成された光ディスク装置が知られている（例えば、特許文献１参照）。また、観測データの記録再生装置においては、フィルタによって１０ＫＨｚ以下の音声信号をカットすると共に、計測データを音声信号の一部として記録するように構成されたものが知られている（例えば、特許文献２参照）。
【特許文献１】特開２０００−１９９７２９号公報
【特許文献２】特開平１１−１１８５１３号公報
【発明の開示】
【発明が解決しようとする課題】
【０００５】
しかしながら、上述した従来の出力端子が筐体内部に設けられている受信装置では、メンテナンスの際に受信装置のキャビネットを開けなければならないので、手間がかかっていた。また、上記特許文献１に示された光ディスク装置では、電気的端子から出力されるのは試験用光ディスクに記録された情報であるので、機器のメンテナンス信号を出力することができない。さらにまた、特許文献２に示された技術は、フィルタによって１０ＫＨｚ以下の音声信号がカットされるので、音質の低下は免れずＡＶ機器には適さない。
【０００６】
本発明は、上記課題を解決するためになされたものであり、ＡＶ機器内部にメンテナンス信号検出回路が接続される専用の出力端子を設けることなく、また、ＡＶ機器のキャビネットを開けることなくメンテナンス信号を出力することができ、かつ、音質低下を招かないＡＶ機器及びそれに用いられるメンテナンス信号検出装置を提供することを目的とする。
【課題を解決するための手段】
【０００７】
上記目的を達成するために請求項１の発明は、音声信号を処理する音声処理回路と、音声信号を機器の外部に出力するための機器筐体の外面に設けられた音声出力端子と、機器のメンテナンスに関する所定周波数のメンテナンス信号を出力するメンテナンス信号出力回路とを備えたＡＶ（Audio Visual）機器において、メンテナンス信号出力回路から出力されたメンテナンス信号を略２０ＫＨｚ以上の周波数に変調する周波数変換回路と、この周波数変換回路から出力されたメンテナンス信号を、音声処理回路から出力された音声信号に混合させて音声出力端子に入力するメンテナンス信号ラインとをさらに備え、メンテナンス信号出力回路から出力されたメンテナンス信号を音声出力端子を介して出力可能として、メンテナンス信号を出力するための専用端子を省いたものである。
【０００８】
請求項２の発明は、請求項１に記載のＡＶ機器の音声出力端子に接続され、該ＡＶ機器のメンテナンス信号の検出に用いられるメンテナンス信号検出装置であって、該音声出力端子から出力された信号から略２０ＫＨｚ未満の周波数の信号をカットして、メンテナンス信号のみを通過させるハイパスフィルタと、このハイパスフィルタを通過したメンテナンス信号をメンテナンス信号出力回路から出力される信号と同等の周波数に復調する復調回路とを備えたものである。
【０００９】
請求項３の発明は、音声信号を処理する音声処理回路と、音声信号を機器の外部に出力するための機器筐体の外面に設けられた音声出力端子と、機器のメンテナンスに関する所定周波数のメンテナンス信号を出力するメンテナンス信号出力回路とを備えたＡＶ（Audio Visual）機器において、メンテナンス信号出力回路から出力されたメンテナンス信号を音声出力端子に入力するメンテナンス信号ラインと、ＡＶ機器の動作モードに応じて、音声処理回路又はメンテナンス信号出力回路の動作を選択的に切り替える制御手段とをさらに備え、メンテナンス信号出力回路からメンテナンス信号が出力されているときは、音声処理回路の動作を止めて、該メンテナンス信号出力回路から出力されたメンテナンス信号のみを音声出力端子を介して出力可能として、メンテナンス信号を出力するための専用端子を省いたものである。
【発明の効果】
【００１０】
請求項１の発明によれば、機器筐体の外面に設けられている音声出力端子を介してメンテナンス信号を出力するので、メンテナンス時にＡＶ機器のキャビネットを開ける必要がなくなる。また、メンテナンス信号を出力するための専用端子を省くことができる。また、音声出力に利用していない略２０ＫＨｚ以上の帯域を用いてメンテナンス信号を伝送するので、通常の動作時において懸念される音質低下の虞もない。
【００１１】
請求項２の発明によれば、ハイパスフィルタが略２０ＫＨｚ未満の周波数の信号、すなわち音声信号をカットするので、音声出力端子から出力された信号からメンテナンス信号のみを抽出することができる。また、復調回路がハイパスフィルタを通過した高調波のメンテナンス信号を所定の周波数に復調するので、従来と同等の周波数のメンテナンス信号を得ることが可能となる。
【００１２】
請求項３の発明によれば、機器筐体の外面に設けられている音声出力端子を介してメンテナンス信号を出力するので、メンテナンス時に機器のキャビネットを開ける必要がなくなる。また、メンテナンス信号を出力するための専用端子を省くことができるので、ＡＶ機器の外面の構成を簡素にすることが可能となる。また、制御手段が動作モードに応じて音声処理回路又はメンテナンス信号出力回路の動作を選択的に制御するので、音声出力端子からは、通常動作時には音声信号のみが、メンテナンス時にはメンテナンス信号のみが出力される。これにより、通常動作時における音質低下を防止することができる。
【発明を実施するための最良の形態】
【００１３】
（第１の実施形態）
本発明の実施形態に係るＡＶ機器としてのＴＶ放送受信装置（以下、受信装置と記す）及びそれに用いられるメンテナンス信号検出装置（以下、信号検出装置と記す）について図面を参照して説明する。図１はメンテナンス時における受信装置及び信号検出装置の接続状態を示している。受信装置１は、信号検出装置２０を介して従来の信号検出装置２５を接続することにより、機器のメンテナンスを行うように構成されている。受信装置１と信号検出装置２０との接続は、信号検出装置２０に設けられたＲＣＡケーブル２４を音声出力端子１４に接続することによりなされる。
【００１４】
図２は受信装置１にモニタ装置を接続した状態のブロック構成を、図３は受信装置１に信号検出装置２０を介して信号検出装置２５を接続した状態のブロック構成を示している。受信装置１は、放送信号を受信するチューナ２と、チューナ２が受信した放送信号から映像信号、音声信号、その他の付属データを分離して復号するデコーダ３と、復号された映像信号をモニタ装置３０が表示可能な映像信号に変換する映像処理回路４と、復号された音声信号をモニタ装置３０が出力可能な音声信号に変換する音声処理回路５と、時間を計数するタイマ６と、受信装置１のメンテナンスに関するログ情報を所定周波数のメンテナンス信号として出力するメンテナンス信号出力回路（以下、信号出力回路と記す）７と、受信装置１全体の制御を行う制御部９と、制御部９の制御プログラムを記憶するメモリ１０と、ユーザにより操作されるリモコン装置１２から出力された信号を受信するリモコン受信部１１と、映像処理回路４によって変換された映像信号をモニタ装置３０に出力するための映像出力端子１３と、音声処理回路５によって変換された音声信号をモニタ装置３０に出力するための音声出力端子１４とから構成されている。映像出力端子１３及び音声出力端子１４は、受信装置１の背面に設けられている。
【００１５】
本実施形態の受信装置１は、上述した構成に加えて、信号出力回路７から出力されたメンテナンス信号の周波数を変換する周波数変換回路８と、周波数変換回路８と音声出力端子１４とを接続し、周波数変換回路８によって変換されたメンテナンス信号を音声出力端子１４に出力するためのメンテナンス信号ライン１７をさらに備えている。
【００１６】
図４は、受信装置１の主要部と、信号検出装置２０の構成を示している。また、図５は、音声出力端子１４から出力されるメンテナンス信号のスペクトルを示している。音声処理回路５は、デコーダ３から出力されたデジタルの音声信号をアナログの音声信号に変換するＤＡコンバータ１５と、ＤＡコンバータ１５によって変換されたアナログ音声信号を増幅する増幅回路１６によって構成されている。信号検出装置２０は、音声出力端子１４及びＲＣＡケーブル２４を介して入力された信号のうち、高周波成分のみを通過させるハイパスフィルタ２１と、ハイパスフィルタ２１を通過した信号の周波数を変換する周波数変換回路（復調回路）２２によって構成されている。
【００１７】
増幅回路１６から出力される音声信号は波形４１で示される。この音声信号には略２０ＫＨｚ未満の周波数帯域が用いられている。音声信号は、チューナ２によって受信した放送信号に含まれるものであってもよいし、所定の周波数（例えば１ＫＨｚ）のテスト信号であっても構わない。一方、信号出力回路７からは、波形４２で示されるデジタルのメンテナンス信号が出力される。そして周波数変換回路８は、信号出力回路７から出力されたデジタル信号を略２０ＫＨｚより十分高い周波数に変調してメンテナンス信号ライン１７から出力する。増幅回路１６から出力される波形４１で示される音声信号と、周波数変換回路８から出力される波形４３で示されるメンテナンス信号は混合された後、音声出力端子１４から波形４４で示される信号として出力される。音声出力端子１４から出力される信号をスペクトル表示すると図５に示したようになり、略２０ＫＨｚ未満の周波数帯域には音声信号が分布し、２０ＫＨｚより十分高い周波数帯域にはメンテナンス信号が分布することになる。
【００１８】
音声出力端子１４から出力された波形４４の信号は、信号検出装置２０のハイパスフィルタ２１によって略２０ＫＨｚ未満の周波成分がカットされる。その結果、ハイパスフィルタ２１を通過した信号は、波形４５に示される略２０ＫＨｚ以上の周波成分のみとなり、メンテナンス信号のみが抽出される。そして、周波数変換回路２２は、ハイパスフィルタ２１を通過した略２０ＫＨｚ以上のメンテナンス信号を、波形４２のメンテナンス信号と同等の周波数に変調し、波形４６で示されるメンテナンス信号を出力する。周波数変換回路２２から出力されたメンテナンス信号は、信号検出装置２５によって検出され、受信装置１の故障原因の特定に用いられる。
【００１９】
以上のように、本実施形態の受信装置１及び信号検出装置２０によれば、音声出力に利用していない２０ＫＨｚ以上の帯域を用いて、音声出力端子１４を介してメンテナンス信号を出力するので、メンテナンス時に受信装置１のキャビネットを開ける必要がなくなる。また、メンテナンス信号を出力するための専用端子を省くことができる。また、モニタ装置３０が音声出力端子１４に接続される通常のＴＶ視聴時には、音声信号にメンテナンス信号が混合されて音声出力端子１４から出力されることになるが、メンテナンス信号は音声出力に利用していない略２０ＫＨｚ以上の帯域に分布しているので、受信装置１において懸念される音質低下の虞もない。
【００２０】
（第２の実施形態）
本発明の別の実施形態によるＴＶ放送受信装置について説明する。図６は受信装置５１の主用部の構成を示している。受信装置５１は、第１の実施形態の受信装置１から周波数変換回路８を省いた構成とされ、また、音声出力端子１４に信号検出装置２５を直接接続することによりメンテナンス信号を出力するように構成されている。従って、受信装置５１において、メンテナンス信号ライン５２は、信号出力回路７から出力されたメンテナンス信号を音声出力端子１４に送出し得るように配設されている。
【００２１】
本実施形態における制御部（制御手段）９は、受信装置５１の動作モードに応じて、音声処理回路５又は信号出力回路７の動作を選択的に切り替える。
【００２２】
例えば、動作モードが通常のテレビジョン視聴モードのとき、制御部９は、音声処理回路５のみを動作させ、信号出力回路７は動作させないように制御する。その結果、音声出力端子１４からは、音声信号のみが出力されることになる。従って、受信装置５１とモニタ装置とを接続すれば、モニタ装置からメンテナンス信号によるノイズを含まないクリアな音声が出力される。
【００２３】
一方、動作モードがメンテナンスモードのとき、制御部９は、信号出力回路７のみを動作させ、音声処理回路５は動作させないように制御する。その結果、信号出力回路７から波形５５で示されるメンテナンス信号が音声出力端子１４に出力される。このとき、図６に示したように、音声出力端子１４と信号検出装置２５とをＲＣＡケーブル２４で接続することにより、音声出力端子１４から信号検出装置２５に波形５６で示されるメンテナンス信号が出力される
【００２４】
以上のように、本実施形態の受信装置５１によれば、制御部９が動作モードに応じて音声処理回路５又は信号出力回路７の動作を制御するので、メンテナンス時には筐体の外面に設けられた音声出力端子１４からメンテナンス信号のみを出力できる。これにより、メンテナンス時に受信装置１のキャビネットを開ける必要がなくなる。また、メンテナンス信号を出力するための専用端子を省くことができるので、受信装置１の構成を簡素にすることが可能となる。また、通常動作時には、音声信号にメンテナンス信号が混合されることがないので、音質低下を防止することができる。
【００２５】
なお、本発明は上記実施形態の構成に限られることなく種々の変形が可能であり、例えば、例えばテレビジョン受像装置や光ディスク装置等、他のＡＶ機器にも広く適用することができる。また、受信装置１においては、周波数変換回路８が変調するメンテナンス信号の周波数帯域を略２０ＫＨｚ以上としているが、音声信号と重ならない周波数帯域であれば、これに限られることはない。
【図面の簡単な説明】
【００２６】
【図１】本発明の第１の実施形態によるＴＶ放送受信装置にメンテナンス信号検出装置が接続された状態を示す斜視図。
【図２】同受信装置にモニタ装置が接続された状態を示すブロック構成図。
【図３】同受信装置にメンテナンス信号検出装置が接続された状態を示すブロック構成図。
【図４】同受信装置の主要部と、メンテナンス信号検出装置の構成を示すブロック構成図。
【図５】同受信装置の音声出力端子から出力される信号のスペクトルを示す図。
【図６】本発明の第２の実施形態による受信装置のブロック構成図。
【図７】従来のＴＶ放送受信装置にメンテナンス信号検出装置が接続された状態を示す斜視図。
【符号の説明】
【００２７】
１    ＴＶ放送受信装置（ＡＶ機器）
５    音声処理回路
７    メンテナンス信号出力回路
８    周波数変換回路
９    制御部（制御手段）
１４    音声出力端子
１７    メンテナンス信号ライン
２０    メンテナンス信号検出装置
２１    ハイパスフィルタ
２２    周波数変換回路（復調回路）
５１    ＴＶ放送受信装置（ＡＶ機器）
【図１】
2005197858.tif 000003
【図２】
2005197858.tif 000004
【図３】
2005197858.tif 000005
【図４】
2005197858.tif 000006
【図５】
2005197858.tif 000007
【図６】
2005197858.tif 000008
【図７】
2005197858.tif 000009